(57)【要約】【課題】角皿の歩留りを改善し、より安価に製作でき、加熱室内への角皿収納時に誤挿入を防止できるようにする。【解決手段】横幅と奥行きがほぼ同一長さを有し、両側壁に棚保持部９ａ，９ｂが設けられた加熱室３と、加熱室３内に収納可能な角皿３０とを有し、角皿３０は平面形状がほぼ長方形に形成し、その長辺側３３の長さ寸法は、両側壁の棚保持部９ａ，９ｂに跨架可能な長さに設定し、その短辺側３４の長さ寸法は、両側壁の棚保持部９ａ，９ｂ間の間隔よりも短い長さに設定する。【選択図】図３
2012180987.tif 000002
【特許請求の範囲】
【請求項１】
横幅と奥行きがほぼ同一長さを有し、両側壁に棚保持部が設けられた加熱室と、
前記加熱室内に収納可能な角皿とを有する加熱調理器において、
前記角皿は、平面形状がほぼ長方形に形成され、その長辺側の長さ寸法が、前記両側壁の前記棚保持部に跨架可能な長さに設定され、その短辺側の長さ寸法が、前記両側壁の前記棚保持部間の間隔よりも短い長さに設定されていることを特徴とする加熱調理器。
【請求項２】
前記角皿を長辺側を正面にして前記加熱室内の前記棚保持部上に収納した時、前記角皿が前記加熱室内のほぼ中心位置で載置されるように、前記角皿の位置を規定するストッパーを設けたことを特徴とする請求項１記載の加熱調理器。
【請求項３】
前記ストッパーは、前記角皿を長辺側を正面にして前記加熱室内の底面上に収納した時でも、前記角皿の奥側の長辺が当接する位置まで下方に延出して形成されていることを特徴とする請求項２記載の加熱調理器。
【請求項４】
前記ストッパーは、前記加熱室の前記両側壁に配置され、そのストッパー間の間隔は、前記角皿の短辺側の長さ寸法よりも小さいことを特徴とする請求項３記載の加熱調理器。
【請求項５】
前記ストッパーは、前記加熱室の前記両側壁に配置され、そのストッパー間の間隔は、前記角皿の短辺側の長さ寸法よりも大きいことを特徴とする請求項３記載の加熱調理器。
【請求項６】
前記角皿は、平面的にみて、被加熱物を載置する面とその周辺から外側に突出するフランジ部とから構成され、長辺側のフランジ部は突出長さが２０〜３０mmに設定されていることを特徴とする請求項１乃至請求項５のいずれかに記載の加熱調理器。
【請求項７】
前記角皿の長辺側のフランジ部に凹凸を設けたことを特徴とする請求項６記載の加熱調理器。
【請求項８】
前記角皿を正規の位置に納めた時の当該角皿の被加熱物を載置する面が発熱範囲内に納まるように、前記加熱室の上部にヒーターを設けたことを特徴とする請求項１乃至請求項７のいずれかに記載の加熱調理器。
【請求項９】
前記角皿を正規の位置に納めた時の当該角皿の被加熱物を載置する面が照射範囲内に納まるように、前記加熱室の背面にランプヒーターを更に設けたことを特徴とする請求項１乃至請求項８のいずれかに記載の加熱調理器。
【発明の詳細な説明】
【技術分野】
【０００１】
本発明は加熱調理器、特に横幅と奥行きがほぼ同一長さを有し、両側壁に角皿用の棚保持部が設けられた加熱室を備えた加熱調理器に関する。
【背景技術】
【０００２】
従来より、横幅と奥行きがほぼ同一長さを有し、両側壁に角皿用の棚保持部が設けられた加熱室を備えた加熱調理器、例えばオーブンレンジが知られている。このようなものにおいて、角皿は、加熱室形状に合わせてほぼ正方形の外形を有しており、どの辺を正面にしても加熱室内に収納できる（棚保持部に載置可能である）ようにしているのが一般的である（例えば、特許文献１参照）。
【先行技術文献】
【特許文献】
【０００３】
【特許文献１】特開２００８−５１３４６号公報（図４）
【発明の概要】
【発明が解決しようとする課題】
【０００４】
しかしながら、角皿を、どの辺を正面にしても棚保持部に載置できるようにしたものにあっては、下記ａ，ｂのような問題があった。
ａ．どちらの辺を正面にしても庫内に収納されなければならないため、外形寸法は４辺とも規定の長さ寸法内に納める必要がある。よって、製作上の管理寸法が２箇所となり、歩留り悪化、コスト高の要因となる。
ｂ．ヒーターの設置位置の関係で、調理可能な範囲が左右（横幅）と奥行き方向で異なる場合に、使用者が角皿の挿入先端側とすべき辺を間違え、被加熱物が角皿上の本来載置すべき位置から大きくずれた位置に載置されることとなっても収納できてしまうため、本来の調理可能な範囲から外れて調理の出来映えが悪くなることが考えられる。
【０００５】
本発明の技術的課題は、角皿の歩留りを改善し、より安価に製作でき、加熱室内への角皿収納時に誤挿入を防止できるようにすることにある。
【課題を解決するための手段】
【０００６】
本発明に係る加熱調理器は、下記の構成からなるものである。すなわち、横幅と奥行きがほぼ同一長さを有し、両側壁に棚保持部が設けられた加熱室と、加熱室内に収納可能な角皿とを有する加熱調理器において、角皿は、平面形状がほぼ長方形に形成され、その長辺側の長さ寸法が、両側壁の棚保持部に跨架可能な長さに設定され、その短辺側の長さ寸法が、両側壁の棚保持部間の間隔よりも短い長さに設定されているものである。
【発明の効果】
【０００７】
本発明の加熱調理器によれば、角皿は、平面形状がほぼ長方形に形成され、その長辺側の長さ寸法が、両側壁の棚保持部に跨架可能な長さに設定され、その短辺側の長さ寸法が、両側壁の棚保持部間の間隔よりも短い長さに設定されているので、短辺側を正面にして角皿を加熱室内の棚保持部に収納しようとしても、この棚保持部に載せることができない。このため、使用者は必然的に長辺側を正面にして角皿を加熱室内に収納するので、棚保持部への角皿の収納方向を間違えることがなくなる。また、管理する寸法を、主に棚保持部に載せるための長辺側の長さ寸法のみとすることができるので、製作上の管理寸法が１箇所となり、歩留りが向上する。
【図面の簡単な説明】
【０００８】
【図１】本発明の実施形態に係る加熱調理器の角皿を長辺側を正面にして加熱室内の棚保持部上に収納した状態を示す正面視の断面図である。
【図２】本発明の実施形態に係る加熱調理器の角皿を長辺側を正面にして加熱室内の棚保持部上に収納した時の角皿とストッパーとの関係を示す側面視の断面図である。
【図３】本発明の実施形態に係る加熱調理器の角皿の第１の例を示す斜視図である。
【図４】本発明の実施形態に係る加熱調理器の角皿を短辺側を正面にして加熱室内の棚保持部上に収納しようとした時の棚保持部と角皿との位置関係を示す正面視の断面図である。
【図５】図４の棚保持部を拡大して示す正面視の断面図である。
【図６】本発明の実施形態に係る加熱調理器の角皿を長辺側を正面にして加熱室内の床面上に収納した状態を示す側面視の断面図である。
【図７】図６のストッパー部を拡大して示す側面視の断面図である。
【図８】本発明の実施形態に係る加熱調理器の角皿を短辺側を正面にして加熱室内の床面上に収納した時の角皿とストッパーとの位置関係を示す正面視の要部拡大断面図である。
【図９】本発明の実施形態に係る加熱調理器の本体の外装板を取り外して上ヒーターと角皿との位置関係を示す平面図である。
【図１０】本発明の実施形態に係る加熱調理器の角皿を長辺側を正面にして加熱室内の棚保持部上に収納した時の角皿と背面ヒーター（ランプヒーター）との位置関係を示す側面視の断面図である。
【図１１】本発明の実施形態に係る加熱調理器の角皿を長辺側を正面にして加熱室内の棚保持部上に収納し、さらに角皿上に焼き網を配置した状態を示す正面視の断面図である。
【図１２】本発明の実施形態に係る加熱調理器の角皿の第２の例を示す斜視図である。
【図１３】本発明の実施形態に係る加熱調理器の角皿の第３の例を示す斜視図である。
【発明を実施するための形態】
【０００９】
以下、図示実施形態により本発明を説明する。
図１は本発明の実施形態に係る加熱調理器の角皿を長辺側を正面にして加熱室内の棚保持部上に収納した状態を示す正面視の断面図である。図２は本発明の実施形態に係る加熱調理器の角皿を長辺側を正面にして加熱室内の棚保持部上に収納した時の角皿とストッパーとの関係を示す側面視の断面図である。図３は本発明の実施形態に係る加熱調理器の角皿の第１の例を示す斜視図である。図４は本発明の実施形態に係る加熱調理器の角皿を短辺側を正面にして加熱室内の棚保持部上に収納しようとした時の棚保持部と角皿との位置関係を示す正面視の断面図である。図５は図４の棚保持部を拡大して示す正面視の断面図である。図６は本発明の実施形態に係る加熱調理器の角皿を長辺側を正面にして加熱室内の床面上に収納した状態を示す側面視の断面図である。図７は図６のストッパー部を拡大して示す側面視の断面図である。図８は本発明の実施形態に係る加熱調理器の角皿を短辺側を正面にして加熱室内の床面上に収納した時の角皿とストッパーとの位置関係を示す正面視の要部拡大断面図である。図９は本発明の実施形態に係る加熱調理器の本体の外装板を取り外して上ヒーターと角皿との位置関係を示す平面図である。図１０は本発明の実施形態に係る加熱調理器の角皿を長辺側を正面にして加熱室内の棚保持部上に収納した時の角皿と背面ヒーター（ランプヒーター）との位置関係を示す側面視の断面図である。図１１は本発明の実施形態に係る加熱調理器の角皿を長辺側を正面にして加熱室内の棚保持部上に収納し、さらに角皿上に焼き網を配置した状態を示す正面視の断面図である。
【００１０】
本発明の実施形態に係る加熱調理器は、本発明をオーブンレンジに適用したものであり、図１及び図２のように本体１の内部が、隔壁２によって加熱室３と電気室４に画成されている。加熱室３には、前面に被加熱物の出し入れを行う開口部（以下「前面開口部」という）３ａが形成されている。加熱室３は、前面開口部３ａが、内ガラス５ａと外ガラス５ｂによる窓を有したドア６によって開閉されるようになっている。ドア６は、下辺部が本体１に軸支された縦開きドア６で構成され、上辺中央部にハンドル７が設けられている。電気室４には、マグネトロン８が配置されている。加熱室３は、横幅と奥行きがほぼ同一長さを有し、両側壁に角皿３０を支持する棚保持部９ａ，９ｂが設けられているとともに、一方の側壁に、加熱室３内の被加熱物の温度を検出する赤外線センサー１０が設置されている。加熱室３を加熱する手段として、マイクロ波を用いたマイクロ波加熱手段と、ヒーターを用いた輻射加熱手段と、コンベクションファン１７を用いた熱風循環加熱手段と、が備えられている。
【００１１】
マイクロ波加熱とは、図１のように電気室４に設置したマグネトロン８よりマイクロ波が励起され、導波管１１を伝搬し、加熱室３下部に配置されたアンテナモーター１２により駆動される回転アンテナ１３を介して加熱室３内部へ放射し、マイクロ波により被加熱物を加熱する方式を指す。
【００１２】
輻射加熱とは、加熱室３の上部や下部に設置されたヒーターにて、加熱室３内部を高温にし、被加熱物を加熱する方式を指す。ここでは、上ヒーター（フラットヒーター）１４と下ヒーター（シーズヒーター）１５が配置され、上ヒータ１４の上方に断熱材１６が設置されている。
【００１３】
熱風循環加熱とは、コンベクションファン１７を用いて加熱室３内に載置された被加熱物へ高温の熱風を当て、被加熱物の昇温を早め、かつ加熱ムラを低減させる加熱方式を指す。ここでは、図１及び図２のように加熱室背面に設置した背面モーター１８により下プーリー１９、ベルト２１、上プーリー２２を介して駆動されるコンベクションファン１７により、加熱室３内の空気を吸い込み、コンベクションファン１７の周囲（上方）に取り付けたコンベクションヒーター（ランプヒーター）２３によって空気を温め、加熱室背面上部に設けた循環風吹き出し口２４より、高温の空気を噴出し、熱風が循環するようになっている。
【００１４】
角皿３０は、被加熱物を一度に多く調理できるように、あるいは調理速度を向上させ得るようにするために備えられたものであり、図１乃至図３のように平面的にみて、被加熱物を載置する面３１とその周辺から外側に突出するフランジ部３２ａ，３２ｂ，３２ｃ，３２ｄを有するほぼ長方形に形成され、その長辺側３３のフランジ部３２ａ，３２ｃの長さ寸法（長辺長さ）が、加熱室両側壁の棚保持部９ａ，９ｂに跨架可能な長さに設定されている。
また、角皿３０は、その短辺側３４のフランジ部３２ｂ，３２ｄの長さ寸法（短辺長さ）が、図４及び図５のように棚保持部９ａ，９ｂ間の間隔よりも短い長さに設定されている。
【００１５】
これにより、角皿３０は、短辺側３４を正面にして加熱室３内の棚保持部９ａ，９ｂに収納しようとしても、この棚保持部９ａ，９ｂに載せることができなくなる。このため、使用者は必然的に長辺側３３を正面にして角皿３０を加熱室３内の棚保持部９ａ，９ｂに収納するので、棚保持部９ａ，９ｂへの角皿３０の収納方向を間違えることがなくなる。また、管理する寸法を、主に棚保持部９ａ，９ｂに載せるための長辺側３３のフランジ部３２ａ，３２ｃの長さ寸法のみとすることができるので、製作上の管理寸法が１箇所となり、歩留りが向上する。
【００１６】
また、角皿３０は、長辺側３３のフランジ部３２ａ，３２ｃの突出長さが２０〜３０mmに設定されているとともに、表面に滑り止めとなる凹凸が形成されており、フランジ部３２ａ，３２ｃを把手として機能させることができるようになっている。また、長辺側３３を正面にして角皿３０を加熱室３内の棚保持部９ａ，９ｂに収納した際に、図２のようにフランジ部３２ａ，３２ｃの突出長さ分、被加熱物を載置する面３１からドア６までの距離を拡げることができるので、汚れ防止に役立つ。なお、角皿３０の素材としては、ホーローやセラミック等が好適である。特に、ホーロー素材の角皿は、導電性が高く、マイクロ波加熱を行うときは、マイクロ波を反射するという特性がある。
【００１７】
加熱室３の両側壁の奥側には、角皿３０を長辺側３３を正面にして加熱室３内の棚保持部９ａ，９ｂ上に収納した時、角皿３０が加熱室３内のほぼ中心位置で載置されるように、角皿３０の位置を規定するストッパー２５が設けられており、このストッパー２５によって角皿３０を加熱室３内の正しい位置に置くことができ、加熱効率を向上させることができるようになっている。
【００１８】
また、ストッパー２５は、図６及び図７のように角皿３０を長辺側３３を正面にして加熱室３内の底面上に収納した時でも、角皿３０の位置を加熱室３内のほぼ中心位置に規定できるように、下方に延出して形成されている。これにより、角皿３０を長辺側３３を正面にして床面に置いた時でも、ストッパー２５によって角皿３０を加熱室３内の正しい位置に置くことができ、加熱効率が向上する。
【００１９】
加熱室３の両側壁の両ストッパー２５，２５間の間隔は、角皿３０の短辺側３４のフランジ部３２ｂ，３２ｄの長さ寸法よりも小さくしてもよいし、逆に角皿３０の短辺側３４のフランジ部３２ｂ，３２ｄの長さ寸法よりも大きくしてもよい。
【００２０】
前者のように、加熱室３の両側壁の両ストッパー２５，２５間の間隔を、角皿３０の短辺側３４のフランジ部３２ｂ，３２ｄの長さ寸法よりも小さくした場合は、おのずと両ストッパー２５，２５から加熱室前面までの奥行き方向の長さ寸法は、角皿３０の長辺側３３のフランジ部３２ａ，３２ｃの長さ寸法よりも小さくなる。このため、角皿３０の短辺側３４を正面にして加熱室３内の底面上に収納しようとしても、角皿３０を加熱室３内に収納できず、さらに角皿３０の一部が加熱室前面から突出するので、誤挿入を気付かせることができる。
【００２１】
また、後者のように、加熱室３の両側壁の両ストッパー２５，２５間の間隔を、角皿３０の短辺側３４のフランジ部３２ｂ，３２ｄの長さ寸法よりも大きくした場合は、図８のように角皿３０の短辺側３４を正面にしても、両ストッパー２５，２５と角皿３０とが干渉せず、角皿３０を加熱室３内の底面上に収納できるので、用途が広がり、使い勝手が向上する。
【００２２】
上ヒーター（フラットヒーター）１４は、図９のように角皿３０を正規の位置に納めた時の当該角皿３０の被加熱物を載置する面３１のエリア内に、発熱範囲（放射範囲）が納まる位置に配置されている。このため、上ヒーター（フラットヒーター）１４からの放射熱の殆どを角皿３０上の被加熱物に向けて照射できるので、熱エネルギーロスが小さく、加熱時間を大幅に短縮することができ、加熱効率が向上する。
【００２３】
加熱室３背面のコンベクションヒーター（ランプヒーター）２３は、図１０のように角皿３０を正規の位置に納めた時の当該角皿３０の被加熱物を載置する面３１が照射範囲内に納まるように配置されている。このため、空気を温めるだけでなく、コンベクションヒーター（ランプヒーター）２３からの放射熱によっても角皿３０上の被加熱物を加熱することができ、加熱時間を大幅に短縮することができ、加熱効率が向上する。
【００２４】
角皿３０を正規の位置に納めた状態で、図１１のように角皿３０に焼き網２６を載せることで、焼き網２６も正規の位置（向き）に納めることができる。このため、使い勝手が向上する。
【００２５】
図１２は角皿の第２の例を示す斜視図である。この図１２の角皿３０Ａは、長辺側３３のフランジ部３２ａ，３２ｃに、加熱室３の棚保持部９ａ，９ｂへの挿入方向を示す矢印３５ａ，３５ｂを付けたものである。これにより、視覚的に挿入方向を知らせることができて、誤挿入を確実に防止することができる。  
【００２６】
図１３は角皿の第３の例を示す斜視図である。この図１３の角皿３０Ｂは、長辺側３３のフランジ部３２ａ，３２ｃの長手中間部に、把手となるブリッジ部３６ａ，３６ｂを形成したものである。これにより、角皿３０Ｂを使用者に確実に把持させることができ、安全性が高まり、使い勝手が向上する。
【符号の説明】
【００２７】
１  本体、２  隔壁、３  加熱室、３ａ  前面開口部、４  電気室、５ａ  内ガラス、５ｂ  外ガラス、６  ドア、７  ハンドル、８  マグネトロン、９ａ，９ｂ  棚保持部、１０  赤外線センサー、１１  導波管、１２  アンテナモーター、１３  回転アンテナ、１４  上ヒーター（ヒーター）、１５  下ヒーター、１６  断熱材、１７  コンベクションファン、１８  背面モーター、１９  下プーリー、２１  ベルト、２２  上プーリー、２３  コンベクションヒーター（ランプヒーター）、２４  循環風吹き出し口、２５  ストッパー、２６  焼き網、３０，３０Ａ，３０Ｂ  角皿、３１  被加熱物を載置する面、３２ａ，３２ｃ  長辺側のフランジ部、３２ｂ，３２ｄ  フランジ部、３３  長辺側、３４  短辺側、３５ａ，３５ｂ  挿入方向を示す矢印、３６ａ，３６ｂ  把手となるブリッジ部。
【図１】
2012180987.tif 000003
【図２】
2012180987.tif 000004
【図３】
2012180987.tif 000005
【図４】
2012180987.tif 000006
【図５】
2012180987.tif 000007
【図６】
2012180987.tif 000008
【図７】
2012180987.tif 000009
【図８】
2012180987.tif 000010
【図９】
2012180987.tif 000011
【図１０】
2012180987.tif 000012
【図１１】
2012180987.tif 000013
【図１２】
2012180987.tif 000014
【図１３】
2012180987.tif 000015